(57)【要約】【課題】  電気機器の完成後に、電気機器の性能のバラツキを安定させたり、電気機器の機種を変更する作業を容易に行う。【解決手段】  固定データを記憶するメモリ１２を有し、該メモリ１２に記憶した固定データに基づいて所定の制御を行うマイクロコンピュータ９を備えた電気機器において、マイクロコンピュータ９は、電気機器の完成時に不揮発性記憶手段１６に参照データを書き込み、通常の動作時に不揮発性記憶手段１６に記憶した参照データを読み込み、該参照データをメモリ１２に記憶した固定データに加味したデータに基づいて所定の制御を行う。【選択図】図１
2006040788.tif 000002
【特許請求の範囲】
【請求項１】
固定データを記憶するメモリを有し、該メモリに記憶した固定データに基づいて所定の制御を行うマイクロコンピュータを備えた電気機器において、
前記マイクロコンピュータは、電気機器の完成時に不揮発性記憶手段に参照データを書き込み、通常の動作時に前記不揮発性記憶手段に記憶した参照データを読み込み、該参照データを前記メモリに記憶した固定データに加味したデータに基づいて所定の制御を行うことを特徴とするマイクロコンピュータを備えた電気機器。
【請求項２】
前記メモリは補正値を記憶し、
前記不揮発性記憶手段に書き込む参照データは前記補正値に対応する基準値であり、
前記マイクロコンピュータは、前記不揮発性記憶手段に記憶した基準値を参照して、該基準値に補正値を加算したデータに基づいて所定の制御を行うことを特徴とする請求項１に記載のマイクロコンピュータを備えた電気機器。
【請求項３】
前記電気機器は電磁調理器であり、
前記補正値は、電源電圧の変動に対する電源電流の補正値であり、
前記基準値は、小物検知の判定基準値であることを特徴とする請求項２に記載のマイクロコンピュータを備えた電気機器。
【請求項４】
前記小物検知の判定基準値は、無負荷状態で電磁調理器を動作させたときの電源電流値であることを特徴とする請求項３に記載のマイクロコンピュータを備えた電気機器。
【請求項５】
前記メモリは複数の機種の固定データを記憶し、
前記機種を選択するための操作を行う操作手段をさらに備え、
前記不揮発性記憶手段に記憶する参照データは、前記操作手段で選択した機種であり、
前記マイクロコンピュータは、前記不揮発性記憶手段に記憶した機種を参照して、該機種に対応する固定データに基づいて所定の制御を行うことを特徴とする請求項１に記載のマイクロコンピュータを備えた電気機器。
【請求項６】
前記操作手段は、ユーザが通常操作することのない特別なモードで操作を行うことを特徴とする請求項５に記載のマイクロコンピュータを備えた電気機器。
【請求項７】
前記不揮発性記憶手段に記憶した機種を表示する表示手段をさらに備えたことを特徴とする請求項５または６に記載のマイクロコンピュータを備えた電気機器。
【発明の詳細な説明】
【技術分野】
【０００１】
本発明は、電磁調理器、炊飯ジャー等のマイクロコンピュータを備えた電気機器に関する。
【背景技術】
【０００２】
この種の電気機器は、回路部品の特性や配置等のバラツキによる各電気機器の性能のバラツキを安定させたり、電気機器の機種を変更するために、製品完成後に種々の調整作業が行われる。
【０００３】
例えば、電磁調理器においては、電源電流値に応じて電力の出力を行うとともに、電源電流値に基づいて小物検知を行うが、電源電流検出回路の精度やその他の部品の特性のバラツキによる各電磁調理器の小物検知精度にバラツキを安定させるために、基板に組み込んだ可変抵抗を調整したり、不揮発性メモリに記憶したデータを操作部による操作で変更していた（特許文献１参照）。しかし、電磁調理器がユーザ側で設置される場所、すなわちステンレス台か木台かによっても、小物検知精度が変動する。
【０００４】
また、大部分の部品を共用し、一部の部品を変更することで、少ない労力で機種の数を増加することが行われている。具体的には、機種に応じて異なる部品を搭載した複数の基板や、機種に応じて異なるデータを記憶させた複数のマイコンや不揮発性メモリを用意し、それらを表示やダミー抵抗などで識別しておき、組立工程で識別を確認して組み込みを行っていた。しかし、このような方法は、部品の確認の負担を招き、一旦誤って組み込むと組み立て直しが必要であった。また、識別のための表示の印刷やダミー部品の追加のために工程が増加する問題があった。
【特許文献１】特開２０００−７０１３１号公報
【発明の開示】
【発明が解決しようとする課題】
【０００５】
本発明はかかる問題点に鑑みてなされたもので、電気機器の完成後に、電気機器の性能のバラツキを安定させたり、電気機器の機種を変更する作業を容易に行うことができるマイクロコンピュータを備えた電気機器を提供することを課題とする。
【課題を解決するための手段】
【０００６】
前記課題を解決するために、本発明は、
固定データを記憶するメモリを有し、該メモリに記憶した固定データに基づいて所定の制御を行うマイクロコンピュータを備えた電気機器において、
前記マイクロコンピュータは、電気機器の完成時に不揮発性記憶手段に参照データを書き込み、通常の動作時に前記不揮発性記憶手段に記憶した参照データを読み込み、該参照データを前記メモリに記憶した固定データに加味したデータに基づいて所定の制御を行うものである。
【０００７】
本発明は、上記構成により、不揮発性記憶手段に電気機器の性能のバラツキに関連する参照データを書き込んでおけば、不揮発性記憶手段の参照データを読み込み、該参照データを固定データに加味したデータに基づいて所定の制御を行うことで、電気機器の性能のバラツキを容易に安定させることができる。また、電気機器の機種を選択してこれを不揮発性記憶手段に参照データとして書き込んでおけば、不揮発性記憶手段の参照データを読み込み、該参照データを固定データに加味したデータに基づいて所定の制御を行うことで、容易に機種変更を行うことができる。
【０００８】
前記メモリは補正値を記憶し、
前記不揮発性記憶手段に書き込む参照データは前記補正値に対応する基準値であり、
前記マイクロコンピュータは、前記不揮発性記憶手段に記憶した基準値を参照して、該基準値に補正値を加算したデータに基づいて所定の制御を行うことが好ましい。
【０００９】
前記電気機器は電磁調理器であり、
前記補正値は、電源電圧の変動に対する電源電流の補正値であり、
前記基準値は、小物検知の判定基準値であることが好ましい。
【００１０】
前記小物検知の判定基準値は、無負荷状態で電磁調理器を動作させたときの電源電流値であることが好ましい。
【００１１】
前記メモリは複数の機種の固定データを記憶し、
前記機種を選択するための操作を行う操作手段をさらに備え、
前記不揮発性記憶手段に記憶する参照データは、前記操作手段で選択した機種であり、
前記マイクロコンピュータは、前記不揮発性記憶手段に記憶した機種を参照して、該機種に対応する固定データに基づいて所定の制御を行うことが好ましい。
【００１２】
前記操作手段は、ユーザが通常操作することのない特別なモードで操作を行うことが好ましい。
【００１３】
前記不揮発性記憶手段に記憶した機種を表示する表示手段をさらに備えることが好ましい。
【発明の効果】
【００１４】
本発明によれば、不揮発性記憶手段に電気機器の性能のバラツキに関連する参照データを書き込むだけで、電気機器の性能のバラツキを容易に安定させることができる。また、電気機器の機種を選択してこれを不揮発性記憶手段に参照データとして書き込むだけで、容易に機種変更を行うことができる。
【発明を実施するための最良の形態】
【００１５】
以下、本発明の実施の形態を添付図面に従って説明する。
【００１６】
図１は、本発明の第１実施形態によるマイクロコンピュータを備えた電気機器の一例である電磁調理器のブロック図である。交流電源１に接続された整流回路２にスイッチング素子３が接続され、これらの整流回路２とスイッチング素子３でインバータ回路４が構成されている。インバータ回路４は誘導加熱コイル５に高周波電流を供給し、鍋１００等の負荷を誘導加熱するようになっている。
【００１７】
交流電源１には電源電圧を検出する電圧検出器６と、カレントトランス７を介して電源電流を検出する電源電流検出回路８が設けられている。電源電流検出回路８の検出電流はマイクロコンピュータ９に入力される。マイクロコンピュータ９は電源電流検出回路８の検出電流に基づいて駆動回路１０を介してスイッチング素子３を制御し、誘導加熱コイル５への出力を制御する。マイクロコンピュータ９は、ＣＰＵ１１，ＲＯＭ１２，ＲＡＭ１３を有し、ＣＰＵ１１には操作部１４、表示部１５、不揮発性記憶手段であるＥＥＰＲＯＭ１６が接続されている。ＲＯＭ１２には、表１に示すように、電源電圧読込値に対応した電源電流補正値が予め記憶されている。
【００１８】
【表１】
2006040788.tif 000003
【００１９】
次に、前記構成の電磁調理器において鍋以外のスプーン等の小物が載置された場合を検知する所謂小物検知時におけるマイクロコンピュータ９の動作を図２、図３のフローチャートに従って説明する。
【００２０】
電磁調理器の製造場所において、完成した電磁調理器に１００ボルトの交流電源１を投入し、操作部１４の通常では使用されない組合せのスイッチボタンを押すと、検査モードがスタートする。検査モードでは、ステップＳ１１でＣＰＵ１１は鍋無し状態で電磁調理器を動作させ、ステップＳ１２で電源電流検出回路８が検出する電源電流値（Ｉａ）を読み込み、ステップＳ１３で前記電源電流値（Ｉａ）を判定基準値としてＥＥＰＲＯＭ１６に書き込む。なお、この検査モードは、上記操作を行うことで、完成時だけでなく、修理，メンテナンス時にも行うことができるし、また製造場所に限らず、修理場所や、ビルトインタイプの電磁調理器では使用場所においても実行させることができる。
【００２１】
電磁調理器の通常の調理モードでは、ＣＰＵ１１は、ステップＳ２１で電磁調理器を動作させ、ステップＳ２２で電源電流検出回路８が検出する電源電流値（Ｉａ）を読み込み、ステップＳ２３でＥＥＰＲＯＭ１６にアクセスしてそこに記憶された判定基準値を読み込み、ステップＳ２４で判定基準値に前記ＲＯＭ１２に記憶された表１の電源電圧読込値に対応した電源電流補正値を加算して小物判定値を求め、ステップＳ２５でこの小物判定値をＲＡＭ１３に記憶する。例えば、判定基準値Ｉａが１８であると、小物判定値は、表２に示すようになる。
【００２２】
【表２】
2006040788.tif 000004
【００２３】
そして、ステップＳ２６で、ステップＳ２２の電源電流読込値（Ｉａ）が小物判定値より大きいか否かを判断する。電源電流読込値が小物判定値より大きければステップＳ２７で鍋有りと判断し、電源電流読込値が小物判定値より小さければステップＳ２８で鍋無しと判断する。
【００２４】
前記実施形態の電磁調理器では、検査モードで個々の電磁調理器に対して鍋無し時の電源電流読込値を判定基準値としてＥＥＰＲＯＭ１６に記憶させておき、実際の動作でＥＥＰＲＯＭ１６の判定基準値（Ｉａ）を読み込んで、この判定基準値（Ｉａ）に電源電圧読込値に対応した電源電流補正値を加算して小物判定値とするので、個々の電磁調理器のバラツキが解消され、精度の良い小物検知を行うことができる。また、設置場所が木台かステンレス台で異なっていても、その設置場所で上記検査モードを実行させることで、その使用場所に応じた判定基準値をＥＥＰＲＯＭ１６に記憶させることができるので、設置場所のバラツキも解消されて、より精度の良い小物検知を行うことができる。
【００２５】
本発明の第２実施形態の電磁調理器の構成は、前記第１実施形態の図１のブロック図に示す構成と同一であるので、説明を省略する。
【００２６】
第２実施形態では、マイクロコンピュータ９のＲＯＭ１２に、複数の機種のデータが予め記憶されている。例えば、Ａ機種の電磁調理器で使用される制御方法Ａと表示方法ＡからなるＡデータと、Ｂ機種の電磁調理器で使用される制御方法Ｂと表示方法ＢからなるＢデータとが収容されている。
【表３】
2006040788.tif 000005
【００２７】
この第２実施形態の電磁調理器では、ＥＥＰＲＯＭ１６に予めＡ機種かＢ機種かを記憶しておき、ＥＥＰＲＯＭ１６に記憶した機種に対応するマイクロコンピュータ９のＲＯＭ１２に記憶したデータを使用するようになっている。
【００２８】
次に、前記構成の電磁調理器において機種変更を行う時におけるマイクロコンピュータの動作を図４，図５のフローチャートに従って説明する。
【００２９】
電磁調理器の製造場所において、完成した電磁調理器に１００ボルトの交流電源１を投入し、操作部１４の通常では使用されない組合せのスイッチボタンを押すと、機種変更モードがスタートする。機種変更モードでは、まずステップＳ１０１でＥＥＰＲＯＭ１６に記憶されている現在機種を表示部１５に表示する。ＥＥＰＲＯＭ１６に何も記憶されていない場合は表示しない。ステップＳ１０２で操作部１４の所定のスイッチを押すことでＡ機種かＢ機種かを選択し入力すると、ステップＳ１０３で表示部１５に選択された機種を表示し、ステップＳ１０４で選択機種をＥＥＰＲＯＭ１６に書き込む。なお、この機種変更モードは、上記操作を行うことで、完成時だけでなく、修理，メンテナンス時にも行うことができるし、また製造場所に限らず、修理場所や、ビルトインタイプの電磁調理器では使用場所においても実行させることができる。
【００３０】
電磁調理器の通常の調理モードでは、ＣＰＵ１１は、ステップＳ２０１でＥＥＰＲＯＭ１６にアクセスしてそこに記憶された選択機種を読み込み、ステップＳ２０２で選択機種に対応するＲＯＭ１２に記憶された制御方法と表示方法で動作を開始する。例えば、ＥＥＰＲＯＭ１６に記憶された選択機種がＡであれば、ＲＯＭ１２に記憶されたＡデータの制御方法Ａと表示方法Ａで動作を行う。また、ＥＥＰＲＯＭ１６に記憶された選択機種がＢであれば、ＲＯＭ１２に記憶されたＢデータの制御方法Ｂと表示方法Ｂで動作を行う。
【００３１】
一度機種選択を行った後、上記操作によって機種変更モードを再度実行させることで、現在機種を表示させてその確認を行うことができるし、現在機種の変更も可能である。
【００３２】
この第２実施形態の電磁調理器によれば、マイクロコンピュータ９やＥＥＰＲＯＭ１６を含む１つの基板で多くの機種に対応することができる。また、選択された機種を確認することができるし、異なる機種になっていても容易に正規使用の機種に変更することができる。
【図面の簡単な説明】
【００３３】
【図１】マイクロコンピュータを備えた電磁調理器のブロック図である。
【図２】本発明の第１実施形態における検査モードのフローチャートである。
【図３】図２の第１実施形態における通常の調理モードのフローチャートである。
【図４】本発明の第２実施形態における機種変更モードのフローチャートである。
【図５】図４の第２実施形態における通常の調理モードのフローチャートである。
【符号の説明】
【００３４】
９  マイクロコンピュータ
１２  ＲＯＭ（メモリ）
１４  操作部
１５  表示部
１６  ＥＥＰＲＯＭ（不揮発性記憶手段）
【図１】
2006040788.tif 000006
【図２】
2006040788.tif 000007
【図３】
2006040788.tif 000008
【図４】
2006040788.tif 000009
【図５】
2006040788.tif 000010